(57)【要約】【課題】冊子と組み合わせることによって伝えたいメッセージを強調し、強い印象を残すことが可能な宝飾品パッケージを提供すること。【解決手段】宝飾品パッケージ１０は、それぞれが折り曲げ可能に連結された表紙１１、背表紙１２、裏表紙１３と、裏表紙の内側に固着され、宝飾品を収納する窪み１６を備えた収納容器１５と、収納容器の表面に配置され、収納容器の表面と同一形状の冊子１４とを備える。冊子１４は、絵本、童話、写真集、詩集、社史のいずれかであってもよく、窪み１６の形状は冊子の記載内容と関連する形状でもよい。伝えたいメッセージをテーマとした内容の絵本や写真集等の冊子と、メッセージと関連するデザインの宝飾品パッケージおよび宝飾品とを組み合わせることにより、メッセージを強調でき、強く印象に残る。【選択図】図１
0003118234.tif 000002
【実用新案登録請求の範囲】
【請求項１】
宝飾品を収納する窪みを備えた宝飾品の収納容器と、
前記宝飾品の収納容器の表面に配置され、宝飾品の収納容器の表面と同一形状の冊子と
を備えたことを特徴とする宝飾品パッケージ。
【請求項２】
宝飾品の収納容器の表面端部に固着され、宝飾品の収納容器の表面と同一形状で、絵本、童話、写真集、詩集、社史のいずれかが記載された冊子と、
宝飾品を収納するための、前記冊子の記載内容と関連する形状の窪みを備えた宝飾品の収納容器と
を備えたことを特徴とする宝飾品パッケージ。
【請求項３】
連結部において折り曲げ可能にそれぞれが連結された表紙、背表紙および裏表紙と、
前記裏表紙の内側に固着され、宝飾品を収納するための、冊子の記載内容と関連する形状の窪みを備えた宝飾品の収納容器と、
前記宝飾品の収納容器の表面端部あるいは前記表紙の裏側に固着され、前記表紙および宝飾品の収納容器の表面と同一形状で、絵本、童話、写真集、詩集、社史のいずれかが記載された冊子と
を備えたことを特徴とする宝飾品パッケージ。
【請求項４】
連結部において折り曲げ可能にそれぞれが連結された表紙、背表紙および裏表紙と、
前記裏表紙の内側に固着され、宝飾品を収納するための、冊子の記載内容と関連する形状の窪みを備え、更に、窪みの底面に宝飾品を固定するためのフックおよびバンドを備えるか、あるいは前記窪みと同一形状を有し、宝飾品を固定するための切り込みを備えた下敷き部材を備えた宝飾品の収納容器と、
前記宝飾品の収納容器の表面端部あるいは前記表紙の裏側に固着され、前記表紙および宝飾品の収納容器の表面と同一形状で、絵本、童話、写真集、詩集、社史のいずれかが記載された冊子と
を備えたことを特徴とする宝飾品パッケージ。
【考案の詳細な説明】
【技術分野】
【０００１】
本考案は、宝飾品パッケージに関するものであり、特に冊子と組み合わせたところに主要な特徴のある宝飾品パッケージに関するものである。
【背景技術】
【０００２】
従来、ネックレスや指輪等の宝飾品のパッケージとしては蓋付きの箱型のものが一般的であり、引出物や贈答品など体裁を重んじるものは、桐箱などの高級な箱や表面に装飾を施した美麗な化粧箱などに収納されていた。しかし、これらのパッケージは高級感や品質感を出すためにコストをかけて製作されているにもかかわらず、贈答された後は他に利用法がなく、無駄になるという問題点があった。また、記念に贈るものに使用した場合に印象に残らないという問題点もあった。
【０００３】
そこで、下記特許文献１には、引出物や贈答品を収納した箱の蓋や、ブライダルのメッセージカードやバースデーカードなどの各種贈答用カードなどに利用される平板状の装飾部材が提案されている。この装飾部材は、厚紙や合成樹脂、あるいは合板などで形成した基材と、誕生石などの宝石や淡水真珠を連係糸で環状に連係してなるネックレスとで構成し、基材はその表面に凸部あるいは凹溝により所望の図形を形成し、ネックレスはこの図形の輪郭を縁取るように、凸部の外周縁または凹溝内に線材を用いて取り外し可能に固定保持したものである。
【特許文献１】登録実用新案３０３２３５０号公報
【考案の開示】
【考案が解決しようとする課題】
【０００４】
上記したような従来のパッケージにおいては、単に装飾の豪華さを強調するものであり、例えばプレゼントする人が伝えたいメッセージを強調するための工夫が無く、メッセージが十分に伝わらないので印象が薄いという問題点があった。そこで、利用者は例えば手作りのメッセージカードを付けたりしてメッセージを伝えていた。しかし、メッセージカードを手作りするのは手間がかかり、面倒であると共に、見栄えの良いものを作成することが困難であるという問題点があった。
本考案は、従来の問題点を解決し、冊子と組み合わせることによって伝えたいメッセージを強調し、強い印象を残すことが可能な宝飾品パッケージを提供することを目的とする。
【課題を解決するための手段】
【０００５】
本考案の宝飾品パッケージは、宝飾品を収納する窪みを備えた宝飾品の収納容器と、前記宝飾品の収納容器の表面に配置され、宝飾品の収納容器の表面と同一形状の冊子とを備えたことを最も主要な特徴とする。
【０００６】
また、本考案の宝飾品パッケージは、宝飾品の収納容器の表面端部に固着され、宝飾品の収納容器の表面と同一形状で、絵本、童話、写真集、詩集、社史のいずれかが記載された冊子と、宝飾品を収納するための、前記冊子の記載内容と関連する形状の窪みを備えた宝飾品の収納容器とを備えた点にも特徴がある。
【０００７】
また、本考案の宝飾品パッケージは、連結部において折り曲げ可能にそれぞれが連結された表紙、背表紙および裏表紙と、前記裏表紙の内側に固着され、宝飾品を収納するための、冊子の記載内容と関連する形状の窪みを備えた宝飾品の収納容器と、前記宝飾品の収納容器の表面端部あるいは前記表紙の裏側に固着され、前記表紙および宝飾品の収納容器の表面と同一形状で、絵本、童話、写真集、詩集、社史のいずれかが記載された冊子とを備えた点にも特徴がある。
【０００８】
更に、本考案の宝飾品パッケージは、連結部において折り曲げ可能にそれぞれが連結された表紙、背表紙および裏表紙と、前記裏表紙の内側に固着され、宝飾品を収納するための、冊子の記載内容と関連する形状の窪みを備え、更に、窪みの底面に宝飾品を固定するためのフックおよびバンドを備えるか、あるいは前記窪みと同一形状を有し、宝飾品を固定するための切り込みを備えた下敷き部材を備えた宝飾品の収納容器と、前記宝飾品の収納容器の表面端部あるいは前記表紙の裏側に固着され、前記表紙および宝飾品の収納容器の表面と同一形状で、絵本、童話、写真集、詩集、社史のいずれかが記載された冊子とを備えた点にも特徴がある。
【考案の効果】
【０００９】
本考案の宝飾品パッケージによれば、例えば伝えたいメッセージをテーマとした内容の絵本や写真集等の冊子と、メッセージと関連するデザインの宝飾品パッケージとを組み合わせ、更に、宝飾品のデザインも関連するものとすることにより、メッセージを強調でき、記念品として贈った場合に強く印象に残るという利点がある。
【００１０】
また、パッケージの形状を本に近い形状とすることにより、よく目に付く本棚に立てて収納可能であり、宝飾品を効率よく収納できると共に絵本や写真集としても利用可能であるという利点がある。
【考案を実施するための最良の形態】
【００１１】
以下、図面を参照して実施例を説明する。なお、本願において、宝飾品とは、ネックレス、ペンダント、イヤリング、指輪、ブローチ、ネクタイピン、カフスボタンなどの他、コイン、バッジ等の貴重品、箸置きなどの陶磁器、美術品、装飾小物を含むものとする。
【実施例１】
【００１２】
図１は、本考案の宝飾品パッケージの実施例１の斜視図である。図１（ａ）は表紙１１を閉じた場合、図１（ｂ）は表紙１１を開けた場合、図１（ｃ）は中の冊子１４を最後までめくった場合を示している。
【００１３】
また、図２は、本発明の実施例１の構造を示す平面図、側面図、断面図である。図２（ａ）は平面図、（ｂ）は側面図、（ｃ）は正面図、（ｄ）は表紙１１および冊子１４を除去した（開いた）場合の平面図、（ｅ）は中央部の縦断面図、（ｆ）は中央部の横断面図、（ｇ）は指輪用下敷き部材１８を装着した場合の横断面図である。
【００１４】
本考案の宝飾品パッケージ１０は、厚紙等によって形成され、連結部において折り曲げ可能にそれぞれが連結された表紙１１、背表紙１２および裏表紙１３と、裏表紙１３の内側に接着剤等によって固着され、宝飾品を収納するための、冊子１４の記載内容と関連する形状の窪み１６を備えた宝飾品の収納容器１５と、宝飾品の収納容器１５の表面端部に接着剤等によって固着され、表紙１１および宝飾品の収納容器１５の表面と同一形状で、絵本、童話、写真集、詩集、社史のいずれかが記載された冊子１４とを備えている。
【００１５】
宝飾品パッケージ１０は表面が正方形である例を開示するが、形状は長方形、円形、冊子の内容と関連した形状、会社のロゴ形状であってもよい。また、宝飾品パッケージ１０を閉じて収納するためのクリヤケースを備えてもよい。表紙１１および背表紙１２の表面には、例えば冊子の一例である絵本のタイトルや挿絵、写真等が印刷されていてもよい。
【００１６】
冊子１４は例えば左綴じで収納容器１５の表面の左端部に接着材等によって固着されている。固着位置は右端部あるいは上端部であってもよい。冊子１４の厚さやページ数は任意である。また、冊子を取り外し可能に構成してもよい。冊子１４の内容は例えば絵本、童話、写真集、詩集、社史であってもよい。冊子１４の全部あるいは一部を透明なポケット形状のクリヤファイルとして写真やカードを入れられるようにしてもよい。
【００１７】
収納容器１５の厚さは２０ｍｍ程度であってもよいが、収納する宝飾品に合わせて任意に変更してもよい。収納容器１５の材質は、紙、布、木、プラスティック、発泡スチレンボード、発泡スチロールなどの発泡材あるいはこれらの組み合わせでもよい。収納容器１５の窪み１６の形状は、ハート形、円形、楕円形、角の丸い四角、冊子の内容と関連した形状、宝飾品の形状と関連した形状、会社のロゴ形状などとしてもよい。
【００１８】
収納容器１５の窪み１６の底面には例えばネックレスを係止するためのフック１７やペンダントを係止するためのバンド１８が装着されている。フック１７は例えば窪み１６の底面に固着された細長く薄い金属板であってもよく、底面と同色に塗装あるいはコーティングされていてもよい。バンド１８は例えば表面を底面と同色の布等で覆ったゴムひもの両端を底面に固着したものでもよい。
【００１９】
図２（ｄ）〜（ｆ）に開示した構成は例えばネックレスやペンダント用であるが、例えば指輪等の場合には、図２（ｇ）に示すように、窪み１６の形状と一致し、指輪等の宝飾品をを差し込んで固定するための切り欠きを備えた下敷き部材１８を備えてもよい。
【００２０】
本考案の宝飾品パッケージは、以下のように製造され、使用される。例えば、本考案の宝飾品パッケージが贈答品、記念品として利用されることを想定して、「愛」「友情」「自然」「命」「子供」などのメッセージやテーマを選択し、このメッセージやテーマに基づいて、冊子の内容、パッケージの形状、収納容器の窪みの形状、更に宝飾品のデザインを決定し、これらを作成あるいは選択して組み合わせる。例えばテーマが「愛」である場合には、冊子として愛をテーマとする絵本を選択し、窪みの形状をハート形とし、更に宝飾品のデザインもハート形を取り入れたものとする。
【００２１】
宝飾品を贈る人は伝えたいメッセージと関連する内容の宝飾品およびパッケージの組み合わせを選択する。各種の冊子、収納容器、宝飾品を用意し、宝飾品を贈る人がそれぞれを選択して組み合わせられるようにしてもよい。場合によっては更に写真やメッセージカードを添付する。このようにすれば、パッケージ、冊子、宝飾品が統一されたテーマを表現することによって精神性を感じさせるメッセージを強調することができ、より強い印象を与えることができる。
【他の実施例】
【００２２】
図３は、他の実施例の構成を示す正面図である。図３（ａ）は前記した実施例１の表紙１１を開いた場合の正面図である。（ｂ）は実施例２の構成であり、冊子１４を表紙１１の裏側に装着したものである。（ｃ）は実施例３の構成であり、冊子１４を向きを（ｂ）の実施例２とは逆にして表紙１１の裏側に装着したものである。
【００２３】
（ｄ）は実施例４の構成であり、冊子１４を向きを（ｂ）の実施例１とは逆にして容器１５の表面に装着したものである。（ｅ）は実施例５の構成であり、背表紙１２を容器１３の側面に固着したものである。
【００２４】
この他、本考案の宝飾品パッケージには以下のような実施例も考えられる。本考案の宝飾品パッケージに、更に電子的なメロディ発音装置を装着し、表紙を開いた際に、電子音で冊子の内容と関連のある所定のメロディを奏でるようにしてもよい。このようにすれば、更に印象が強くなる。
【００２５】
本考案の宝飾品パッケージの表紙や裏表紙あるいはそれらの裏側に透明なフィルムでポケットを付け、写真やカードを入れられるようにしてもよい。このようにすれば、利用者固有の写真やメッセージを添付することが可能となる。
【産業上の利用可能性】
【００２６】
本考案の宝飾品パッケージは贈答品や記念品である宝飾品のパッケージとして使用できる。
【図面の簡単な説明】
【００２７】
【図１】本考案の宝飾品パッケージの実施例１の斜視図である。
【図２】本発明の実施例１の構造を示す平面図、側面図、断面図である。
【図３】他の実施例の構成を示す正面図である。
【符号の説明】
【００２８】
１０    宝飾品パッケージ
１１    表紙
１２    背表紙
１３    裏表紙
１４    冊子
１５    収納容器
１６    窪み
【図１】
0003118234.tif 000003
【図２】
0003118234.tif 000004
【図３】
0003118234.tif 000005